(57)【要約】      （修正有）【課題】省スペース化を可能とし、複数の通過帯域を有する表面弾性波フィルタデバイスを提供する。【解決手段】入力信号を加えるための少なくとも１個の外部入力端子と、出力信号を出力するための複数個の外部出力端子と、複数個のフィルタ１，２を備える。少なくとも１個の外部入力端子と各外部出力端子との間には、少なくとも１つのＤＭＳトラック１Ａ，１Ｂ，２Ａ，２Ｂを有するフィルタの１個を接続する。位相幾何学的配列は、ＤＭＳフィルタを有するダイプレクサ及び２イン１フィルタとして実現することができる。【選択図】図６Ａ
0003177250.tif 000002
【実用新案登録請求の範囲】
【請求項１】
表面弾性波フィルタデバイスであって、
前記表面弾性波フィルタデバイスに入力信号を加えるための少なくとも１個の外部入力端子（Ｅ，Ｅ１，Ｅ２，Ｅ３）と、
前記表面弾性波フィルタデバイスから出力信号を出力するための複数個の外部出力端子（Ａ１，Ａ２，Ａ３）であり、これら外部出力端子（Ａ１，Ａ２，Ａ３）のそれぞれに対応する前記出力信号を出力可能とした、該外部出力端子と、
複数個のフィルタ（１，２，３）と
を備え、
少なくとも１個の前記外部入力端子（Ｅ，Ｅ１，Ｅ２，Ｅ３）と前記出力端子（Ａ１，Ａ２，Ａ３）のそれぞれとの間に１個の前記フィルタ（１，２，３）を接続し、それぞれの前記フィルタを少なくとも１つのＤＭＳトラック（１Ａ，１Ｂ，２Ａ，２Ｂ，３Ａ，３Ｂ）で構成し、前記フィルタ（１，２，３）における少なくとも１つの前記ＤＭＳトラックは、前記フィルタがそれぞれ異なる通過帯域を有するよう構成した表面弾性波フィルタデバイス。
【請求項２】
請求項１記載の表面弾性波フィルタデバイスにおいて、
前記入力信号を複数個の前記フィルタ（１，２，３）に加えるための少なくとも１個のボンドパッド（ＩＮ，ＩＮ１，ＩＮ２，ＩＮ３）と、
前記出力信号を複数個の前記フィルタ（１，２，３）から出力するための複数個のボンドパッド（ＯＵＴ１，ＯＵＴ２，ＯＵＴ３）であり、これらボンドパッド（ＯＵＴ１，ＯＵＴ２，ＯＵＴ３）のそれぞれに前記出力信号の１つを出力可能とした、該ボンドパッド（ＯＵＴ１，ＯＵＴ２，ＯＵＴ３）とを備え、
前記入力信号を加えるための少なくとも１個の前記ボンドパッド（ＩＮ，ＩＮ１，ＩＮ２，ＩＮ３）とそれぞれの前記出力信号を出力するための複数個の前記ボンドパッド（ＯＵＴ１，ＯＵＴ２，ＯＵＴ３）との間に前記フィルタ（１，２，３）の１個を接続し、前記入力信号を加えるための少なくとも１個の前記ボンドパッド（ＩＮ，ＩＮ１，ＩＮ２，ＩＮ３）を少なくとも１個の前記外部入力端子（Ｅ，Ｅ１，Ｅ２，Ｅ３）に接続し、前記出力信号を出力するための前記各ボンドパッド（ＯＵＴ１，ＯＵＴ２，ＯＵＴ３）は複数個の前記外部出力端子（Ａ１，Ａ２，Ａ３）のうちの１個に接続する構成とした表面弾性波フィルタデバイス。
【請求項３】
請求項２記載の表面弾性波フィルタデバイスにおいて、前記フィルタ（１，２，３）における少なくとも１つのＤＭＳトラック（１Ａ，１Ｂ，２Ａ，２Ｂ，３Ａ，３Ｂ）は、少なくとも１個の入力側変換器（Ｔ１）、少なくとも１個の出力側変換器（Ｔ２）及び反射器（Ｒ１，Ｒ２，Ｒ３，Ｒ４，Ｒ５）を有し、少なくとも１個の前記入力側変換器（Ｔ１）は電極（ＥＴ１１，ＥＴ１２）を有し、該電極（ＥＴ１１，ＥＴ１２）は前記第１反射器（Ｒ１）と前記第２反射器（Ｒ２）との間に配置し、少なくとも１個の前記出力側変換器（Ｔ２）は電極（ＥＴ２１，ＥＴ２２）を有し、該電極（ＥＴ２１，ＥＴ２２）は前記第３反射器（Ｒ３）と前記第４反射器（Ｒ４）との間に配置する構成とした表面弾性波フィルタデバイス。
【請求項４】
請求項２又は３記載の表面弾性波フィルタデバイスにおいて、
前記表面弾性波フィルタデバイスは、基準電位にするための少なくとも１個のボンドパッド（ＧＮＤ１，ＧＮＤ２，ＧＮＤ３）を備え、
それぞれの前記フィルタ（１，２，３）における少なくとも１つの前記ＤＭＳトラック（１Ａ,１Ｂ，２Ａ，２Ｂ，３Ａ，３Ｂ）の前記入力側変換器（Ｔ１）の前記電極（ＥＴ１１）は、前記入力信号を加えるため、少なくとも１個の前記ボンドパッド（ＩＮ，ＩＮ１，ＩＮ２，ＩＮ３）に接続し、前記フィルタ（１，２，３）それぞれにおける少なくとも１つの前記ＤＭＳトラック（１Ａ，１Ｂ，２Ａ，２Ｂ，３Ａ，３Ｂ）の前記入力側変換器（Ｔ１）における別の前記電極（ＥＴ１２）は、前記基準電位にするため、前記ボンドパッド（ＧＮＤ１，ＧＮＤ２，ＧＮＤ３）の少なくとも１個（ＧＮＤ１）に接続し、前記フィルタ（１，２，３）それぞれにおける少なくとも１つの前記ＤＭＳトラック（１Ａ，１Ｂ，２Ａ，２Ｂ，３Ａ，３Ｂ）の前記出力側変換器（Ｔ２）の前記電極（ＥＴ２１）は、それぞれに対応する前記出力信号を出力するため、前記ボンドパッド（ＯＵＴ１，ＯＵＴ２，ＯＵＴ３）に接続し、それぞれの前記フィルタ（１，２，３）における少なくとも１つの前記ＤＭＳトラック（１Ａ，１Ｂ，２Ａ，２Ｂ，３Ａ，３Ｂ）の前記出力側変換器（Ｔ２）における別の前記電極（ＥＴ２２）は、前記基準電位にするため、前記ボンドパッド（ＧＮＤ１，ＧＮＤ２，ＧＮＤ３）における別の少なくとも１個のボンドパッド（ＧＮＤ２）に接続する構成とした表面弾性波フィルタデバイス。
【請求項５】
請求項２〜４のいずれか一項記載の表面弾性波フィルタデバイスにおいて、
前記ＤＭＳトラック（１Ａ，１Ｂ，２Ａ，２Ｂ）は、少なくとも１個の第１ＤＭＳトラック（１Ａ，１Ｂ）及び少なくとも１個の第２ＤＭＳトラック（２Ａ，２Ｂ）を有し、少なくとも１個の前記第１ＤＭＳトラック（１Ａ，１Ｂ）及び少なくとも１個の前記第２ＤＭＳトラック（２Ａ，２Ｂ）は、互いに上下に基板（４）上に配置し、前記入力信号を加えるための少なくとも１個の前記ボンドパッド（ＩＮ，ＩＮ１，ＩＮ２，ＩＮ３）、前記出力信号を出力するための複数個の前記ボンドパッド（ＯＵＴ１，ＯＵＴ２，ＯＵＴ３）及び前記基準電位にするための少なくとも１個の前記ボンドパッド（ＧＮＤ１，ＧＮＤ２，ＧＮＤ３）は、前記第１ＤＭＳトラック（１Ａ，２Ｂ）と前記第２ＤＭＳトラック（２Ａ，２Ｂ）との間における前記基板（４）上に配置し、その際、前記第１ＤＭＳトラック（１Ａ，１Ｂ）を前記ボンドパッド（ＩＮ，ＩＮ１，ＩＮ２，ＩＮ３，ＯＵＴ１，ＯＵＴ２，ＯＵＴ３，ＧＮＤ１，ＧＮＤ２，ＧＮＤ３）に対する第１の側（Ｓ１）に、また前記第２ＤＭＳトラック（２Ａ，２Ｂ）を前記ボンドパッド（ＩＮ，ＩＮ１，ＩＮ２，ＩＮ３，ＯＵＴ１，ＯＵＴ２，ＯＵＴ３，ＧＮＤ１，ＧＮＤ２，ＧＮＤ３）に対する第２の側（Ｓ２）に配置し、前記第１ＤＭＳトラック（１Ａ，１Ｂ）は第１フィルタ（１）を、また前記第２ＤＭＳトラック（２Ａ，２Ｂ）は第２フィルタ（２）を構成するものとした表面弾性波フィルタデバイス。
【請求項６】
請求項５記載の表面弾性波フィルタデバイスにおいて、前記ＤＭＳトラックは第３ＤＭＳトラック（３Ａ，３Ｂ）を有し、該ＤＭＳトラック（３Ａ，３Ｂ）は第３フィルタ（３）を構成し、前記第３ＤＭＳトラック（３Ａ，３Ｂ）の一方（３Ａ）を前記ボンドパッド（ＩＮ，ＩＮ１，ＩＮ２，ＩＮ３，ＯＵＴ１，ＯＵＴ２，ＯＵＴ３，ＧＮＤ１，ＧＮＤ２，ＧＮＤ３）に対する前記第１の側（Ｓ１）に、また前記第３ＤＭＳトラック（３Ａ，３Ｂ）の他方（３Ｂ）を前記ボンドパッド（ＩＮ，ＩＮ１，ＩＮ２，ＩＮ３，ＯＵＴ１，ＯＵＴ２，ＯＵＴ３，ＧＮＤ１，ＧＮＤ２，ＧＮＤ３）に対する前記第２の側（Ｓ２）に配置する構成とした表面弾性波フィルタデバイス。
【請求項７】
請求項３〜６のいずれか一項記載の表面弾性波フィルタデバイスにおいて、それぞれの前記フィルタの少なくとも１つの前記ＤＭＳトラックにおける前記入力側変換器（Ｔ１）の前記電極（ＥＴ１１）は、それぞれの前記ＤＭＳトラックにおける前記第１反射器（Ｒ１）に接続し、それぞれの前記ＤＭＳトラックにおける前記第１反射器（Ｒ１）は、前記入力信号を加えるため、少なくとも１個の前記ボンドパッド（ＩＮ，ＩＮ１，ＩＮ２，ＩＮ３）に接続し、それぞれの前記フィルタの少なくとも１つの前記ＤＭＳトラックにおける前記入力側変換器（Ｔ１）の別の前記電極（ＥＴ１２）は、それぞれの前記ＤＭＳトラックにおける前記第２反射器（Ｒ２）に接続し、それぞれの前記ＤＭＳトラックにおける前記第２反射器（Ｒ２）は、前記基準電位にするため、前記ボンドパッド（ＧＮＤ１）に接続する構成とした表面弾性波フィルタデバイス。
【請求項８】
請求項３〜６のいずれか一項記載の表面弾性波フィルタデバイスにおいて、
前記表面弾性波フィルタデバイスは、複数の前記入力信号を加えるための複数個の前記ボンドパッド（ＩＮ１，ＩＮ２，ＩＮ３）であり、これら複数個のボンドパッド（ＩＮ１，ＩＮ２，ＩＮ３）のそれぞれに複数の前記入力信号の１つを印加可能とした、該複数個のボンドパッド（ＩＮ１，ＩＮ２，ＩＮ３）を備え、
前記フィルタそれぞれの少なくとも１つの前記ＤＭＳトラックにおける前記入力側変換器（Ｔ１）の前記電極（ＥＴ１１）は、それぞれの前記ＤＭＳトラックにおける前記第１反射器（Ｒ１）に接続し、それぞれの前記ＤＭＳトラックの前記第１反射器（Ｒ１）は、前記入力信号を加えるため、複数個の前記ボンドパッド（ＩＮ１，ＩＮ２，ＩＮ３）の１個に接続し、それぞれの前記フィルタの少なくとも１つの前記ＤＭＳトラックにおける前記入力側変換器（Ｔ１）の前記電極（ＥＴ１２）は、それぞれの前記ＤＭＳトラックにおける前記第２反射器（Ｒ２）に接続し、それぞれの前記ＤＭＳトラックにおける前記第２反射器（Ｒ２）は、前記基準電位にするため、前記ボンドパッド（ＧＮＤ１）に接続する構成とした表面弾性波フィルタデバイス。
【請求項９】
請求項３〜８のいずれか一項記載の表面弾性波フィルタデバイスにおいて、前記フィルタそれぞれの少なくとも１つの前記ＤＭＳトラックにおける前記出力側変換器（Ｔ２）の前記電極（ＥＴ２１）は、それぞれの前記ＤＭＳトラックにおける前記第３反射器（Ｒ３）に接続し、それぞれの前記ＤＭＳトラックにおける前記第３反射器（Ｒ３）は、前記出力信号を出力するため、複数個の前記ボンドパッド（ＯＵＴ１，ＯＵＴ２，ＯＵＴ３）の１個に接続し、それぞれの前記フィルタの少なくとも１つの前記ＤＭＳトラックにおける出力側変換器（Ｔ２）の別の前記電極（ＥＴ２２）は、それぞれの前記ＤＭＳトラックにおける前記第４反射器（Ｒ４）に接続し、それぞれの前記ＤＭＳトラックにおける前記第４反射器（Ｒ４）は、前記基準電位にするため、前記ボンドパッド（ＧＮＤ２）に接続する構成とした表面弾性波フィルタデバイス。
【請求項１０】
請求項３〜９のいずれか一項記載の表面弾性波フィルタデバイスにおいて、前記フィルタ（１，２，３）それぞれにおける少なくとも１つの前記ＤＭＳトラック（１Ａ，１Ｂ，２Ａ，２Ｂ，３Ａ，３Ｂ）は、前記第２反射器（Ｒ２）と前記第３及び第４反射器（Ｒ３，Ｒ４）との間にシールド素子（Ｒ５）、特に第５反射器を有する構成とした表面弾性波フィルタデバイス。
【請求項１１】
請求項５〜１０のいずれか一項記載の表面弾性波フィルタデバイスにおいて、前記ボンドパッドに対する前記第１の側（Ｓ１）に配置したＤＭＳトラック（１Ａ，２Ｂ，３Ａ）における前記第１，第２，第３，第４又は第５反射器は互いに上下に接続し、前記ボンドパッドに対する前記第２の側（Ｓ２）に配置した前記ＤＭＳトラック（２Ａ，２Ｂ，３Ｂ）における前記第１，第２，第３，第４又は第５反射器は互いに上下に接続する構成とした表面弾性波フィルタデバイス。
【請求項１２】
請求項３〜１１のいずれか一項記載の表面弾性波フィルタデバイスにおいて、前記フィルタ（３）それぞれにおける少なくとも１つの前記ＤＭＳトラック（３Ａ，３Ｂ）は、前記第３及び第４反射器（３Ａ，３Ｂ）の１個と前記第１及び第２変換器（Ｔ１，Ｔ２）の１個との間に第６反射器を有する構成とした表面弾性波フィルタデバイス。
【請求項１３】
請求項１〜１２のいずれか一項記載の表面弾性波フィルタデバイスにおいて、少なくとも１個の前記フィルタ（１，２，３）は２つの互いに平行に配置した前記ＤＭＳトラック（１Ａ，１Ｂ，２Ａ，２Ｂ，３Ａ，３Ｂ）を有し、互いに平行に配置したそれぞれの前記ＤＭＳトラックは、より低周波の共振特性（ＡＲ１，ＢＲ１）及びより高周波の前記共振特性（ＡＲ２，ＢＲ２）を有すると共に、互いに対して周波数がずれるよう構成し、その際、平行に配置した前記ＤＭＳトラックの一方（１Ａ）におけるより高周波の前記共振特性（ＡＲ２）が前記ＤＭＳトラック（１Ｂ）の他方におけるより低周波の前記共振特性（ＢＲ１）と一致し、かつ同一の位相を有するものとした表面弾性波フィルタデバイス。
【請求項１４】
請求項１〜１３のいずれか一項記載の表面弾性波フィルタデバイスにおいて、少なくとも１個の前記外部入力端子（Ｅ，Ｅ１，Ｅ２，Ｅ３）及び複数個の前記外部出力端子（Ａ１，Ａ２，Ａ３）は相関させて構成し、前記入力信号を入力するための少なくとも１個の前記ボンドパッド（ＩＮ，ＩＮ１，ＩＮ２，ＩＮ３）及び前記出力信号を出力するための複数個の前記ボンドパッド（ＯＵＴ，ＯＵＴ２，ＯＵＴ３）は相関させて構成した表面弾性波フィルタデバイス。
【請求項１５】
請求項１〜１４のいずれか一項記載の表面弾性波フィルタデバイスにおいて、該表面弾性波フィルタデバイス（１００）を、ダイプレクサ（１０）、トリプレクサ（２０）、２イン１フィルタ（３０）、又は３イン１フィルタ（４０）、として構成した表面弾性波フィルタデバイス。
【考案の詳細な説明】
【技術分野】
【０００１】
本考案は、複数の通過帯域を有するフィルタ特性を備える表面弾性波フィルタデバイスに関する。
【背景技術】
【０００２】
受信システムに存在する高密度の無線信号により、有効信号の伝送帯域に含まれるノイズ信号が有効信号の受信を損なうリスクがよくある。例えば無線キーのための車両用受信システム、いわゆるＲＫＥ（Remote Keyless Entry：リモート・キーレス・エントリー）システム、及びタイヤ空気圧監視システム、すなわちＴＰＭＳ（Tire Pressure Monitoring System）とも称されるシステムは、有効信号の伝送帯域内に含まれるノイズ信号により、妨害又は完全に遮断されるおそれがある。
【０００３】
無線伝送の信頼性を向上させるため、最新の受信機においては多くの場合、２個以上の周波数チャネルを使用する。このため、１つの周波数において有効信号が強度のノイズ信号に妨害された場合であっても、ノイズが含まれない別の冗長チャネルを通して受信することができる。異なる周波数帯域を種々の用途、例えばＲＫＥシステム又はＴＰＭＳに利用する場合も、多用途向け周波数チャネルのうちの一つを使用する。実際上、通常２個又は３個の周波数チャネルを使用する。
【０００４】
有効帯域に隣接する周波数帯域におけるノイズ信号のフィルタ処理には、狭帯域フィルタを利用することができる。このような狭帯域フィルタには、例えば表面弾性波フィルタ（ＳＡＷフィルタ）がある。このような表面弾性波フィルタは、例えば水晶（クォーツ）、タンタル酸リチウム又はニオブ酸リチウムで構成される基板を備え、この基板表面にはメタライズ構体を設ける。このメタライズ構体は２個の変換器を設けることができ、これら変換器は互いにくし状に噛み合う１対の電極指を有する。変換器構体の一方に電圧を印加すると、基板の表面近傍層に表面弾性波が励振される。この励振された弾性波は、他方の変換器構体により再び電気信号に変換される。このような弾性波フィルタデバイスにおける帯域には、低挿入損失の通過帯域（Passband）及び高挿入損失の阻止帯域（Stopband）がある。
【０００５】
多チャンネル受信機を実現するには、例えば上述した表面弾性波フィルタデバイスの複数個を、入力端側でスイッチを介してアンテナに、また出力端側で他のスイッチを介して受信機ユニットに、接続することができる。このような受信システムは、異なる周波数帯域にある有効信号を受信することができるが、多数のフィルタデバイスを個別に配置するため大きな占有面積を必要とする。
【考案の概要】
【考案が解決しようとする課題】
【０００６】
従って、異なる周波数チャネルから有効信号をフィルタ処理で抽出し、また少ない占有面積で済む、表面弾性波フィルタデバイスを得ることが望ましい。
【課題を解決するための手段】
【０００７】
このような表面弾性波フィルタデバイスの実施形態を、特許請求の範囲に記載する。
【０００８】
一実施形態によれば、本考案による表面弾性波フィルタデバイスは、この表面弾性波フィルタデバイスに入力信号を入力するための少なくとも１個の外部入力端子と、表面弾性フィルタデバイスから出力信号を出力するための複数個の外部出力端子であって、それぞれの出力端子に出力信号の１つを出力することを可能とした外部出力端子と、複数個のフィルタとを備える。少なくとも１個の外部入力端子と各出力端子との間には、フィルタの一個を接続する。各フィルタは、少なくとも１個のＤＭＳトラックにより構成する。各フィルタにおける少なくとも１個のＤＭＳトラックは、各フィルタがそれぞれ異なる通過帯域を有するよう構成する。
【０００９】
ＤＭＳフィルタ設計技術を利用することにより、極めて低い挿入損失、及び阻止帯域における挿入損失に応じた急峻な曲線を示す狭帯域フィルタを構成することができる。表面弾性波フィルタデバイスにおいて、それぞれ少なくとも１つのＤＭＳトラックを有する複数個のＤＭＳフィルタ（以下、「フィルタ」と略称する場合もある）を基板上に配置した状態で１個のハウジングに組み込むことにより、少なくとも１個の外部入力端子と複数個の外部出力端子との間で異なるフィルタ特性、特に異なる通過帯域による異なるフィルタ伝送曲線を示す表面弾性波フィルタデバイスを得ることが可能となる。
【００１０】
各ＤＭＳフィルタは少なくとも１つのＤＭＳトラックを有し、これらＤＭＳトラックは基板上に配置する。少なくとも１個の入力端子及び複数個の出力端子に対するＤＭＳフィルタの接続は、やはり基板上に配置するボンド接点（以下、「ボンドパッド」（接続端子）と称する場合もある）、及び接続ラインであって、ボンドパッドを少なくとも１個の外部入力端子／複数個の外部出力端子に接続する接続ラインを利用することで行うことができる。各フィルタにおける少なくとも１つのＤＭＳトラックは入出力側変換器を有し、これら各変換器は少なくとも１つのＤＭＳトラックにおける反射器の間に配置する。各入出力側変換器は、２個の電極を有する。
【００１１】
各フィルタの少なくとも１つのＤＭＳトラックにおける入力側変換器の各電極は、入力信号をＤＭＳトラックに加えるため、１個のボンドパッドに接続することができる。各フィルタの少なくとも１つのＤＭＳトラックにおける入力側変換器の各電極は、異なる入力信号を印加するため、異なるボンドパッドに接続してもよい。この場合、各フィルタの少なくとも１つのＤＭＳトラックにおける入力側変換器の電極は、１つ又は複数の入力信号を印加するため、各ＤＭＳトラックの第１反射器に接続し、この第１反射器を介して少なくとも１個又は複数個のボンドパッドに接続することができる。各フィルタの少なくとも１個のＤＭＳトラックにおける入力側変換器の別の電極は、基準電位、例えばグランド電位にするため、直接に又は第２反射器を介してボンドパッドに接続する。
【００１２】
各ＤＭＳトラックにおける出力側変換器の電極は、ＤＭＳトラックから異なる出力信号を出力するため、ボンドパッドの１個に接続する。各ＤＭＳトラックにおける出力側変換器の電極は、出力信号を出力するため、例えば直接ボンドパッドの１個に接続することもできるが、本考案における別の実施形態においては、第３反射器に接続し、これら第３反射器を介してボンドパッドに接続してもよい。各ＤＭＳトラックの出力側変換器における別の電極は、基準電位にするため、第４反射器に接続し、これら第４反射器を介してボンドパッドの１個に接続することができる。
【００１３】
ボンドパッドは、音響的ＤＭＳトラックの間にボンドパッド配列部に配置することができる。ボンドパッド配列部に対する第１の側に第１ＤＭＳトラックを配置し、ボンドパッド配列部に対する第２の側に第２ＤＭＳトラックを配置する。第１及び第２ＤＭＳトラックは、異なるフィルタ特性を有するフィルタを構成することができる。例えば互いに平行に接続した同一又はほぼ同一のトラックを有するシングルＤＭＳフィルタ構造、又は互いに周波数を異ならせたトラックを有するツインＤＭＳフィルタ構造のように、２つのＤＭＳトラックで１個のフィルタを構成した場合、トラックの１つをボンドパッドに対する一方の側に配置し、トラックにおける別の１つをボンドパッドに対する他方の側に配置することができる。このようにボンドパッドを基板上におけるトラック間の中心に配置することにより、表面弾性波フィルタデバイスを省スペース化した構成とすることが可能となる。
【００１４】
ボンドパッドに対する一方の側に配置した第１〜第４反射器のそれぞれは、互いに上下に接続する。各トラックにおける外側の反射器は、例えば入力側変換器の電極及び入力信号を入力するための少なくとも１個のボンドパッド、又は出力側変換器の電極及び出力信号を出力するためのボンドパッドに接続することができる。
【００１５】
トラック間の中心にボンドパッドを配置し、かつ各トラックにおける内側及び外側の反射器を変換器に接触するために利用することにより、ダイプレクサ又はトリプレクサとして構成した表面弾性波フィルタデバイスにおける各部分的なフィルタを少なくとも１個の端子、例えば出力端子から個別に電気的に接触することが可能となる。また、２イン１／３イン１フィルタとして構成した表面弾性波フィルタデバイスにおいては、入力端子だけでなく出力端子からも個別に電気的に接触することが可能となる。さらに、全ての変換器を互いに平行に配置してボンドパッド配列の各ボンドパッドに接続することが可能となる。
【００１６】
各フィルタ間のクロストークを防止するため、シールド帯として構成した付加的な反射器を変換器の１個と反射器の１個、特に外側の反射器との間に配置することができる。この付加的な反射器には、付加的なボンドパッドを設けることなく基準電位にすることができる。さらに、各ＤＭＳトラックにおける第２反射器と第４反射器との間に、例えば反射器として構成することのできるシールド素子を配置してもよい。
【００１７】
表面弾性波フィルタデバイスが１個の外部入力端子及び複数個の外部出力端子を備え、かつ１個の入力端子と複数個の各出力端子との間に各ＤＭＳフィルタを接続することにより、例えばダイプレクサ又はトリプレクサとしての表面弾性波フィルタデバイスを構成することが可能となる。表面弾性波フィルタデバイスが複数個の外部入力端子及び複数個の外部出力端子を備え、かつそれぞれ１個の入力端子と１個の出力端子との間に各ＤＭＳフィルタを接続することにより、例えば２イン１フィルタ又は３イン１フィルタとしての表面弾性波フィルタデバイスを構成することが可能となる。これら異なる形態は、入力端及び出力端において組み合わせることもでき、これにより特に電気的クロストークの抑制に関する問題を最適に解決することができる。
【００１８】
表面弾性波フィルタデバイスにおける個々のフィルタは、異なる帯域幅を有することができる。なぜなら、表面弾性波フィルタデバイスの用途に応じて、個々のフィルタにおける帯域幅は個々の周波数チャネルにおける伝送帯域幅に対応する必要があるからである。各ＤＭＳフィルタは、いわゆるシングルＤＭＳフィルタ又はツインＤＭＳフィルタとして構成することができる。シングルＤＭＳフィルタにおいて、フィルタは１つのトラック又は平行に接続した２つ以上の同一又はほぼ同一のトラックを有し、これによりフィルタインピーダンスを低減すると共により安定的な適合化を得る。この場合の通過帯域は、２つの共振モード間に延在する。フィルタはツインＤＭＳ設計として構成することができ、これにより有効帯域幅を改善し、阻止帯域特性を向上させることが可能となる。このために、互いに周波数帯域が僅かに異なる２つの音響ＤＭＳトラックを互いに平行に接続する。これらトラックにおける周波数帯域は、１つのトラックにおけるより高周波の共振特性が他のトラックにおけるより低周波の共振特性と一致し、かつ同一の位相を有するようずらす。
【００１９】
表面弾性波フィルタデバイスにおける個々のフィルタには、それぞれ異なる構造技術を利用することができる。これにより、例えばトリプレクサにおける２個のフィルタはツインＤＭＳフィルタとして、１個のフィルタはシングルＤＭＳフィルタとして構成し、用途に応じた最適な構成を実現することが可能となる。
【００２０】
以下、添付図面につき表面弾性波フィルタの実施形態を詳述する。
【図面の簡単な説明】
【００２１】
【図１Ａ】２個の周波数チャネルを備える受信・送信システムを示す説明図である。
【図１Ｂ】３個の周波数チャネルを備える受信・送信システムを示す説明図である。
【図２Ａ】シングルＤＭＳ設計としたＤＭＳフィルタにおける音響的トラックの一実施形態を示す説明図である。
【図２Ｂ】シングルＤＭＳ設計としたＤＭＳフィルタの適合化していない状態における音響的トラックの伝送機能を示す説明図である。
【図３Ａ】ツインＤＭＳ設計としたＤＭＳフィルタにおける２つの音響的トラックの一実施形態を示す説明図である。
【図３Ｂ】ツインＤＭＳ設計としたＤＭＳフィルタの適合化していない状態における２つの音響的トラックの伝送機能を示す説明図である。
【図４Ａ】ダイプレクサとして構成した表面弾性波フィルタデバイスの一実施形態を備える受信・送信システムを示す説明図である。
【図４Ｂ】トリプレクサとして構成した表面弾性波フィルタデバイスの一実施形態を備える受信・送信システムを示す説明図である。
【図５Ａ】２イン１フィルタとして構成した表面弾性波フィルタデバイスの一実施形態を備える受信・送信システムを示す説明図である。
【図５Ｂ】３イン１フィルタとして構成した表面弾性波フィルタデバイスの一実施形態を備える受信・送信システム示す説明図である。
【図６Ａ】ダイプレクサとして構成した表面弾性波フィルタデバイスにおける位相幾何学的配列の一実施形態を示す説明図である。
【図６Ｂ】ダイプレクサとして構成した表面弾性波フィルタデバイスにおける位相幾何学的配列の別の一実施形態を示す説明図である。
【図７】４３４ＭＨｚの周波数帯域におけるダイプレクサの伝送機能を示す説明図である。
【図８Ａ】トリプレクサとして構成した表面弾性波フィルタデバイスにおける位相幾何学的配列の一実施形態を示す説明図である。
【図８Ｂ】トリプレクサとして構成した表面弾性波フィルタデバイスにおける位相幾何学的配列の別の一実施形態を示す説明図である。
【図８Ｃ】トリプレクサとして構成した表面弾性波フィルタデバイスにおける位相幾何学的配列のさらに別の一実施形態を示す説明図である。
【図９】３１４ＭＨｚの周波数帯域におけるトリプレクサの伝送機能を示す説明図である。
【図１０Ａ】２イン１フィルタとして構成した表面弾性波フィルタデバイスにおける位相幾何学的配列の一実施形態を示す説明図である。
【図１０Ｂ】２イン１フィルタとして構成した表面弾性波フィルタデバイスにおける位相幾何学的配列の別の一実施形態を示す説明図である。
【図１１】３イン１フィルタとして構成した表面弾性波フィルタデバイスにおける位相幾何学的配列の一実施形態を示す説明図である。
【考案を実施するための形態】
【００２２】
図１Ａは、２個の周波数チャネルを備える受信・送信システムを示す。アンテナ２００と受信・送信ユニット３００との間には、フィルタデバイス１００ａを有する第１信号経路を配置する。アンテナ２００と受信・送信ユニット３００との間に設けた第２信号経路にはフィルタデバイス１００ｂを配置する。受信・送信ユニット３００と各信号経路との間にはスイッチ４００を接続することができ、このスイッチ４００により受信・送信ユニット３００がフィルタデバイスに接続される。同様に、アンテナ２００とフィルタデバイスとの間にもスイッチ５００を設ける。このスイッチ５００によりアンテナ２００をフィルタデバイスに接続することができる。
【００２３】
図１Ｂは、３個の周波数チャネルを備える受信・送信システムを示す。図示の実施形態においては、図１Ａに示す実施形態と異なり、アンテナ２００と受信・送信ユニット３００との間に付加的な第３信号経路をフィルタデバイス１００ｃに接続する。
【００２４】
図１Ａ及び図１Ｂに示す両実施形態において、フィルタデバイスは個別のデバイスとして対応するそれぞれの信号経路に配置する。フィルタデバイス１００ａ，１００ｂ又は１００ｃは表面弾性波フィルタデバイスとして構成することができる。特にデュアル・モード・フィルタ（ＤＭＳフィルタ）として構成することができる。
【００２５】
図２Ａは、いわゆるシングルＤＭＳ設計としたＤＭＳフィルタにおける音響トラックＡを示し、このようなＤＭＳフィルタは特に水晶（クォーツ）基板上で使用する。音響的ＤＭＳトラックＡは直列的に接続した２個のインターデジタル形の変換器（櫛形電極）Ｔ１及びＴ２を有し、これら変換器Ｔ１，Ｔ２は、音響的損失を低減するため、その両側端部を反射器Ｒ１及びＲ３により閉じ込める。両変換器Ｔ１，Ｔ２の間には、随意的に、例えば反射器として構成することができる他の素子Ｒ２，Ｒ４及びＲ５を配置することができる。変換器及び反射器は、圧電基板４の表面に配置する。
【００２６】
一方の変換器Ｔ１は入力側変換器として構成することができ、入力信号を加えるため、この入力側変換器Ｔ１における一方の電極ＥＴ１１を入力端子ＩＮに接続する。入力側変換器Ｔ１における他方の電極ＥＴ１２は、基準電位ＧＮＤに接続することができる。変換器Ｔ２は出力側変換器として構成することができ、出力信号を出力するため、この出力側変換器Ｔ２における一方の電極ＥＴ２１を出力端子ＯＵＴに接続し、他方の電極ＥＴ２２は、基準電位にするため、端子ＧＮＤに接続する。反射器Ｒ２と反射器Ｒ４との間に配置した反射器Ｒ５は、電気的クロストークを低減するためのシールド素子として機能する。例えば反射器Ｒ１〜Ｒ５は、例えば、基準電位にするため、端子に接続することができ、この場合の基準電位は、例えばグランド電位である。
【００２７】
音響的ＤＭＳトラックＡは、適合化していない状態では、図２Ｂに示す伝送特性を有する。フィルタにおける通過帯域は２つの共振モード、すなわちより低周波の共振特性ＡＲ１とより高周波の共振特性ＡＲ２との間に延在する。ＤＭＳトラックを１つだけ有する図２Ａに示す構造の他にも、複数の同一又はほぼ同一としたＤＭＳトラックを互いに並列的に接続することにより、フィルタのインピーダンスを低減し、またＤＭＳトラックをより安定的に適合化させることが可能となる。
【００２８】
図２Ａ及び図２につき説明したシングルＤＭＳ技術と異なり、図３Ａ及び図３Ｂは、いわゆるツインＤＭＳ技術に基づくＤＭＳフィルタを示す。このフィルタは、２つの音響的ＤＭＳトラックＡ及びＢを有し、これら各音響ＤＭＳトラックＡ，Ｂは、図２Ａに示すシングルＤＭＳトラックと同様に、入力側変換器Ｔ１及び出力側変換器Ｔ２を有する。入出力側変換器Ｔ１及び出力側変換器Ｔ２は、反射器Ｒ１とＲ３との間に配置する。この設計に対してトラックを単に２つだけ設ける場合、入力側変換器Ｔ１と出力側変換器Ｔ２との間には、随意的に、他の素子、例えば反射器Ｒ２，Ｒ４及びＲ５を配置することができる。それより多くのトラック、例えば４つ以上のトラックをフィルタに付加的に設ける場合、随意的に反射器Ｒ５のみ設け、反射器Ｒ２及びＲ４は電気的接触を行うために必要である。変換器及び反射器は、圧電基板の表面に配置する。入力側変換器Ｔ１において、電極ＥＴ１１は、入力信号を加えるため、入力端子ＩＮに接続し、電極ＥＴ１２は基準電位に接続する。出力側変換器Ｔ２において、電極ＥＴ２１は出力端子ＯＵＴに、電極ＥＴ２２は基準電位に接続する。このツインＤＭＳフィルタ設計において、２つのＤＭＳトラックＡ，Ｂは互いに平行に接続し、周波数帯域は互いに僅かにのみ異ならせる。図３は、適合化していない状態の２つのＤＭＳトラックＡ，Ｂにおける伝送機能を示す。より低周波のＤＭＳトラックＡは、より低周波の共振特性ＡＲ１及びより高周波の共振特性ＡＲ２を有し、より高周波のＤＭＳトラックＢは、より低周波の共振特性ＢＲ１及びより高周波の共振特性ＢＲ２を有する。これらＤＭＳトラックＡ，Ｂにおける周波数は互いにずれている。すなわち、より低周波のＤＭＳトラックＡにおけるより高周波の共振周波数ＡＲ２は、高周波のトラックＢにおけるより低周波の共振周波数ＢＲ１と一致し、双方の共振周波数は同一位相を有するよう、互いにずれている。このため、ＤＭＳトラックにおける伝送機能は共振ピークＨ１，Ｈ２，Ｈ３を示し、これら共振ピークＨ１，Ｈ２，Ｈ３間にツインＤＭＳフィルタの通過帯域（Passband）が延在する。
【００２９】
図１Ａ及び図１Ｂに示す各フィルタデバイス１００ａ〜１００ｃは、シングルＤＭＳ設計技術又はツインＤＭＳ設計技術による表面弾性波フィルタを有することができる。各フィルタデバイスは、個別のハウジング内に組み込まれるため、各フィルタデバイス１００ａ〜１００ｃは個別のコンポーネントとして構成される。
【００３０】
省スペース化及び低コスト化は、図１Ａに示す２個の個別フィルタ１００ａ，１００ｂの代わりに、又は図１Ｂに示す３個の個別フィルタ１００ａ〜１００ｃの代わりに、異なる通過帯域特性を有する複数個のフィルタを単一のデバイス用ハウジング内に組み込むことで実現することができる。
【００３１】
図４Ａは、２個の周波数チャネルを備える受信・送信システムを示す。アンテナ２００と受信・送信ユニット３００との間には、１個の表面弾性波フィルタデバイス１００を配置する。この表面弾性波フィルタデバイス１００は、ＳＡＷダイプレクサ１０として構成する。このＳＡＷダイプレクサ１０は、アンテナ２００に接続した入力端子Ｅ、及び出力端子Ａ１，Ａ２を有する。入力端子Ｅと出力端子Ａ１との間には、少なくとも１つのＤＭＳトラックを有するＤＭＳフィルタを接続し、入力端子Ｅと出力端子Ａ２との間にも、少なくとも１つのＤＭＳトラックを有するＤＭＳフィルタを配置する。出力端子Ａ１，Ａ２は、スイッチ４００を介して受信・送信ユニット３００に接続する。
【００３２】
図４Ｂは、図４Ａに示す受信・送信システムを部分的に変更した、３個の周波数チャネルを備える受信・送信システムを示す。図４Ａに示す実施形態と異なり、この実施形態においては、ＳＡＷダイプレクサ１０の代わりにＳＡＷトリプレクサとして構成した表面弾性波フィルタデバイス１００を使用する。このＳＡＷトリプレクサ２０は、アンテナ２００に接続した入力端子Ｅ、及び出力端子Ａ１，Ａ２及びＡ３を有する。これら出力端子Ａ１〜Ａ３は、スイッチ４００を介して受信・送信ユニット３００に接続する。
【００３３】
表面弾性波フィルタデバイスとしてのＳＡＷトリプレクサ２０はそのハウジング内に３個のＤＭＳフィルタを備え、これらＤＭＳフィルタは少なくとも１つのＤＭＳトラックを有する。第１フィルタは入力端子Ｅと出力端子Ａ１との間に、第２フィルタは入力端子Ｅと出力端子Ａ２との間に、さらに第３フィルタは入力端子Ｅと出力端子Ａ３との間にそれぞれ接続する。これら３個のフィルタは、それぞれ異なる中心周波数を持つ、異なる通過帯域（Passband）を有する。
【００３４】
図５Ａは、２個の周波数チャネルを備える受信・送信システムにおける別の一実施形態を示す。アンテナ２００と受信・送信ユニット３００との間には、表面弾性波フィルタデバイス１００を接続する。この表面弾性波フィルタ１００は、２イン１フィルタ３０として構成する。この２イン１フィルタ３０は入力端子Ｅ１，Ｅ２を有し、これら入力端子Ｅ１，Ｅ２はスイッチ５００を介してアンテナ２００に接続する。さらに、２イン１フィルタ３０は出力端子Ａ１，Ａ２を有し、これら出力端子Ａ１，Ａ２はスイッチ４００を介して受信・送信ユニット３００に接続する。表面弾性波フィルタデバイスとしての２イン１フィルタ３０は、少なくとも１つのＤＭＳトラックを有する第１ＤＭＳフィルタを備え、この第１フィルタは表面弾性波フィルタデバイスにおける入力端子Ｅ１と出力端子Ａ１との間に接続する。少なくとも１つのＤＭＳトラックを有する第２ＤＭＳフィルタは、入力端子Ｅ２と出力端子Ａ２との間に接続する。
【００３５】
図５Ｂは、３個の周波数チャネルを備える受信・送信システムにおける別の一実施形態を示す。図５Ａに示す実施形態と異なり、図示の実施形態においては、スイッチ４００とスイッチ５００との間に３イン１フィルタ４０として構成した表面弾性波フィルタデバイス１００を配置する。この３イン１構成とした表面弾性波フィルタデバイスは、３個の入力端子Ｅ１，Ｅ２及びＥ３、並びに３個の出力端子Ａ１，Ａ２及びＡ３を有する。入力端子Ｅ１〜Ｅ３はスイッチ５００を介してアンテナ２００に接続し、出力端子Ａ１〜Ａ３はスイッチ３００を介して受信・送信ユニット３００に接続する。表面弾性波フィルタデバイスとしての３イン１フィルタ４０はそのハウジング内に３個のＤＭＳフィルタを備え、これら３個の各ＤＭＳフィルタは少なくとも１つのＤＭＳトラックを有する。第１フィルタは入力端子Ｅ１と出力端子Ａ１との間に、第２フィルタは入力端子Ｅ２と出力端子Ａ２との間に、第３フィルタは入力端子Ｅ３と出力端子Ａ３との間にそれぞれ接続する。
【００３６】
図４Ａ，図４Ｂ，図５Ａ及び図５Ｂが示す表面弾性波フィルタデバイス１００の実施形態においては、複数個のＤＭＳフィルタであって、異なるフィルタ伝送機能、及び異なる中心周波数を持つ、異なる通過帯域を有する複数個のＤＭＳフィルタを、フィルタデバイスのハウジング内に配置する。表面弾性波フィルタデバイスは、ダイプレクサ１０として、トリプレクサ２０として、２イン１フィルタ３０として、又は３イン１フィルタ４０として構成することができる。フィルタデバイスをダイプレクサ又はトリプレクサとして構成する実施形態においては、受信・送信システムのスイッチ５００であって、受信した信号を異なる周波数帯域用に２つ又は３つの出力信号に分配するスイッチ５００は不要である。個々の表面弾性波フィルタデバイスに組み込むフィルタは、少なくとも１つのＤＭＳトラックを有するＤＭＳフィルタとして構成することができ、例えばシングルＤＭＳ構造又はツインＤＭＳ構造を有する。
【００３７】
ダイプレクサ又はトリプレクサとしての表面弾性波フィルタデバイス、及びＤＭＳフィルタを有する２イン１又は３イン１としての表面弾性波フィルタデバイスの構成において、音響トラックは互いに平行に配置かつ接続し、その機能性及び所要の電気的特性が僅かなスペースで発揮されるようにする必要がある。特に、個々のフィルタにおけるＤＭＳトラックに対しては、ダイプレクサ又はトリプレクサの場合は、個々のフィルタにおける音響トラックを少なくとも１個の端子を介して個別に接触可能とする位相幾何学的（トポロジー）配列としなければならず、２イン１フィルタ又は３イン１フィルタの場合は、個々のフィルタにおける音響トラックを入力端子だけでなく出力端子を介しても個別に接触可能とする位相幾何学的配列としなければならない。
【００３８】
図６Ａ及び６Ｂは、ＤＭＳフィルタを有するダイプレクサとして構成した表面弾性波フィルタデバイスにおける位相幾何学的配列の実施形態を示す。図８Ａ，図８Ｂ及び図８Ｃは、ＤＭＳフィルタを有するトリプレクサとして構成した表面弾性波フィルタデバイスにおける位相幾何学的配列の実施形態を示す。図１０Ａ及び１０Ｂは、ＤＭＳフィルタを有する２イン１フィルタとして構成した表面弾性波フィルタデバイスにおける位相幾何学的配列の実施形態を示す。図１１は、３個の異なるＤＭＳフィルタを有する３イン１フィルタとして構成した表面弾性波フィルタデバイスの一実施形態を示す。
【００３９】
図６Ａ，図６Ｂ，図８Ａ，図８Ｂ，図８Ｃ，図１０Ａ，図１０Ｂ及び図１１に示す表面弾性波フィルタデバイスにおけるいずれの実施形態においても、圧電基板４上に複数個のＤＭＳフィルタを配置する。この基板は、例えば水晶、タンタル酸リチウム又はニオブ酸リチウムを含有することができる。各ＤＭＳフィルタは、入力側変換器Ｔ１及び出力側変換器Ｔ２を有する少なくとも１つのＤＭＳトラックを設ける。これら変換器Ｔ１，Ｔ２は、各トラック内で直列的に接続する。各トラックはその両側端部を反射器により閉じ込め、これら反射器は音響的損失の低減、また場合により変換器を電気的に接触するために機能する。２個の変換器の間には付加的な素子を随意的に配置することができ、これら素子は図示の実施形態において反射器として構成し、電気的クロストークを低減するためのシールド素子として、又は変換器に電気的に接触するために機能する。なお、全体をより見易くするため、参照符号は図面に示すそれぞれの位相幾何学的配列におけるＤＭＳトラックの１つだけに付す。これら参照符号は、同一の位相幾何学的配列における他のトラックにも適用される。
【００４０】
図６Ａは、ＤＭＳフィルタ１，２を有するダイプレクサとして構成した表面弾性波フィルタデバイスにおける位相幾何学的配列の一実施形態を示す。図示の実施形態において、それぞれのＤＭＳフィルタは互いに平行に配置した２つのＤＭＳトラック１Ａ，１Ｂ又は２Ａ，２Ｂを有し、これらＤＭＳトラック１Ａ，１Ｂ，２Ａ，２Ｂは基板４上に配置する。各ＤＭＳトラック１Ａ，１Ｂ，２Ａ，２Ｂは入力側変換器Ｔ１及び出力側変換器Ｔ２を有し、これら変換器Ｔ１，Ｔ２は反射器Ｒ１とＲ３との間に配置する。２個の変換器Ｔ１，Ｔ２の間には、随意的に反射器Ｒ２，Ｒ４及びＲ５を配置してもよい。
【００４１】
各トラックの入力側変換器Ｔ１は電極ＥＴ１１を有し、これら電極ＥＴ１１は、各ＤＭＳフィルタ１，２に入力信号を加えるため、ボンドパッド（接続端子）ＩＮに接続する。この場合、電極ＥＴ１１は反射器Ｒ１を介してボンドパッドＩＮに接続する。各ＤＭＳトラックにおける入力側反射器Ｔ１の電極ＥＴ１２は、基準電位にするため、ボンドパッドＧＮＤ１に接続する。ＤＭＳトラック１Ａ，１Ｂの各出力側変換器Ｔ２は別の電極ＥＴ２１を有し、これら電極ＥＴ２１は、出力信号を出力するため、複数個あるボンドパッドＯＵＴ１の１個に接続する。ＤＭＳトラック１Ａ，１Ｂにおける各出力側変換器Ｔ２の別の電極ＥＴ２２は、基準電位にするため、ボンドパッドＧＮＤ２に接続する。各電極ＥＴ２１，ＥＴ２２は、反射器Ｒ３又はＲ４を介してボンドパッドＯＵＴ１又はＧＮＤ２に接続する。ＤＭＳフィルタ２における２つのＤＭＳトラック２Ａ，２Ｂは、ＤＭＳトラック１Ａ，１Ｂに類似して接続するが、出力側変換器Ｔ２の電極ＥＴ２１は、別の出力信号を出力するため、ＤＭＳトラック２Ａ，２Ｂにおける各反射器Ｒ３を介して別のボンドパッドＯＵＴ２に接続する。ＤＭＳトラックのシールド素子Ｒ５は、基準電位にするため、ボンドパッドＧＮＤ３に接続する。
【００４２】
反射器Ｒ１，Ｒ３は、音響損失を低減し、かつ入力側変換器Ｔ１の電極ＥＴ１１及び出力側変換器Ｔ２の電極ＥＴ２１に電気的に接触するよう機能する。反射器Ｒ２，Ｒ４は、変換器の電極ＥＴ１２，ＥＴ２２に電気的に接触するために設ける。
【００４３】
図６Ｂは、ＤＭＳフィルタ１，２を有するダイプレクサとして構成した表面弾性波フィルタデバイスの位相幾何学的配列における別の一実施形態を示す。ＤＭＳフィルタ１，２は、互いに平行に接続したＤＭＳトラック１Ａ，１Ｂ及び２Ａ，２Ｂを有する。図６Ａに示す実施形態と異なり、図示の実施形態においては、ＤＭＳトラックにおける出力側変換器Ｔ２の電極ＥＴ２１，ＥＴ２２は逆に配置する。
【００４４】
図６Ａ及び６Ｂに示す、ＤＭＳフィルタを有するダイプレクサとして構成した表面弾性波フィルタデバイスの位相幾何学的配列においては、ボンドパッドＩＮ，ＯＵＴ１，ＯＵＴ２，ＧＮＤ１及びＧＮＤ２は、トラック１Ａ，１Ｂとトラック２Ａ，２Ｂとの間におけるボンドパッド配列部５に配置する。すなわち、トラック１Ａ，１Ｂを有するＤＭＳフィルタ１はボンドパッド配列部５に対する一方の側Ｓ１に、トラック２Ａ，２Ｂを有するＤＭＳフィルタ２はボンドパッド配列部５に対する他方の側Ｓ２に配置される。トラック１Ａ，１Ｂ及び２Ａ，２Ｂにより、異なる中心周波数を持つ、異なる通過帯域を有するフィルタを構成することができる。
【００４５】
図７は、ＤＭＳフィルタ１，２を有するダイプレクサとして構成した表面弾性波フィルタデバイスにおける伝送機能を示す。各フィルタは、互いに異なる通過帯域を有するフィルタ処理曲線Ｋ１，Ｋ２の特性を実現する。なお、図面は周波数Ｆに対する挿入減衰（損失）ＩＬを示す。
【００４６】
図８Ａは、ＤＭＳフィルタ１，２及び３を有するトリプレクサとして構成した表面弾性波フィルタデバイスの位相幾何学的配列を示す。フィルタ１は互いに平行に配置したＤＭＳトラック１Ａ，１Ｂを、フィルタ２は互いに平行に配置したＤＭＳトラック２Ａ，２Ｂを、さらにフィルタ３は互いに平行に配置したＤＭＳトラック３Ａ，３Ｂを有する。フィルタ１のＤＭＳトラック１Ａ，１Ｂ及びフィルタ３におけるＤＭＳトラック３Ａは、ボンドパッド配列部５に対する一方の側Ｓ１に、ＤＭＳトラック２Ａ，２Ｂ及びフィルタ３におけるＤＭＳトラック３Ｂは、ボンドパッド配列部５に対する他方の側Ｓ２にそれぞれ配置する。
【００４７】
図６Ａ及び図６Ｂに示す、ダイプレクサとして構成した表面弾性波フィルタデバイスにおける位相幾何学的配列と同様、図示の実施形態におけるトリプレクサとして構成した表面弾性波フィルタデバイスにおいても、ＤＭＳトラックにおける入力側変換器Ｔ１の各電極ＥＴ１１は、入力信号をフィルタに入力するため、ボンドパッドＩＮに接続する。電極ＥＴ１１は、例えば一方の側Ｓ１において外側の反射器Ｒ１に接続し、これら反射器Ｒ１を介してボンドパッドＩＮに接続することができる。ＤＭＳトラックの入力側変換器Ｔ１における別の電極ＥＴ１２は、基準電位にするため、ボンドパッドＧＮＤ１に接続する。この場合の接続は、電極ＥＴ１２及びボンドパッドＧＮＤ１に接続した内側の反射器Ｒ２を介してなされる。
【００４８】
ＤＭＳトラック１Ａ，１Ｂにおける出力側変換器Ｔ２の電極ＥＴ２１は、フィルタ１から出力信号を出力するため、ボンドパッドＯＵＴ１に接続する。この場合の接続は、電極ＥＴ２１だけでなくボンドパッドＯＵＴ１にも接続した外側の反射器Ｒ３を介してなされる。ＤＭＳトラック１Ａ，１Ｂの電極ＥＴ２２は、基準電位にするため、ボンドパッドＧＮＤ２に接続する。この場合の接続は、電極ＥＴ２２だけでなくボンドパッドＧＮＤ２にも接続したＤＭＳトラック１Ａ，１Ｂの反射器Ｒ４を介してなされる。
【００４９】
ＤＭＳトラック２Ａ，２Ｂにおける出力側変換器Ｔ２の電極ＥＴ２１は、フィルタ２から出力信号を出力するため、ボンドパッドＯＵＴ２に接続する。電極ＥＴ２１は外側の反射器Ｒ３に接続し、これら反射器Ｒ３を介してボンドパッドＯＵＴ２に接続する。ＤＭＳトラック２Ａ，２Ｂの電極ＥＴ２２は、基準電位にするため、ボンドパッドＧＮＤ２に接続する。この場合の接続は、電極ＥＴ２２だけでなくボンドパッドＧＮＤ２にも接続したＤＭＳトラック２Ａ，２Ｂの反射器Ｒ４を介してなされる。
【００５０】
ＤＭＳトラック３Ａ，３Ｂにおける出力側変換器Ｔ２の電極ＥＴ２１は、フィルタ３から出力信号を出力するため、ボンドパッドＯＵＴ３に直接接続する。ＤＭＳトラック３Ａ，３Ｂにおける出力側変換器Ｔ２の電極ＥＴ２２は、ボンドパッドＧＮＤ２に接続する。この場合の接続は、ボンドパッドＧＮＤ２と電極ＥＴ２２との間に接続し、これらボンドパッドＧＮＤ２及び電極ＥＴ２２を互いに接続する反射器Ｒ４を介してなされる。
【００５１】
ＤＭＳトラック３Ａの反射器は、ボンドパッド配列部５において対応するボンドパッドにより、ＤＭＳトラック１Ａ，１Ｂにおける入出力側変換器の電極に接触するための引き込み反射器として機能する。同様に、ＤＭＳトラック３Ｂの反射器は引き込み反射器として構成し、これら引き込み反射器を介して、ＤＭＳトラック２Ａ，２Ｂにおける入出力側変換器の電極がボンドパッド配列部５において対応するボンドパッド（接点）に接続される。
【００５２】
図８Ｂは、トリプレクサとして構成した表面弾性波フィルタデバイスにおける別の位相幾何学的配列を示す。図８Ａに示す実施形態と異なり、図示の実施形態において、ボンドパッドＯＵＴ１，ＯＵＴ２はボンドパッド配列部５の端ではなくボンドパッド配列部の中心、すなわちボンドパッドＧＮＤ３及びボンドパッドＯＵＴ３に隣接して配置する。ＤＭＳトラック１Ａ，１Ｂの電極ＥＴ２１は反射器３に接続し、これら反射器Ｒ３及びＤＭＳトラック３Ａの反射器Ｒ３を介してボンドパッドＯＵＴ１に接続する。ＤＭＳトラック１Ａ，１Ｂの反射器Ｒ３は、図８Ａに示す実施形態と異なり、シールド素子Ｒ５に隣接してＤＭＳトラック１Ａ，１Ｂの内側に配置する。ＤＭＳトラック１Ａ，１Ｂにおける出力側変換器Ｔ２の電極ＥＴ２２は、基準電位にするため、反射器Ｒ４に接続し、これら反射器Ｒ４及びＤＭＳトラック３Ａの反射器Ｒ４を介してボンドパッドＧＮＤ２に接続する。図８Ａに示す実施形態とは異なり、図示の実施形態において、反射器Ｒ４はＤＭＳトラック１Ａ，１Ｂ，３Ａの外端に配置する。
【００５３】
同様に、ＤＭＳトラック２Ａ，２Ｂの電極ＥＴ２１も各ＤＭＳトラックにおける内側の反射器Ｒ３に接続し、これら反射器Ｒ３及びトラック３Ｂの引き込み反射器として機能する反射器Ｒ３を介してボンドパッドＯＵＴ２に接続する。反射器Ｒ３は、各ＤＭＳトラックの内側に配置する。ＤＭＳトラック２Ａ，２Ｂにおける出力側変換器Ｔ２の電極ＥＴ２２は、各トラックにおける外側の反射器Ｒ４に接続し、これら反射器Ｒ４及びトラック３Ｂにおける引き込み反射器として機能する反射器Ｒ４を介してボンドパッドＧＮＤ２に接続する。反射器Ｒ４は、図８Ａに示す実施形態と異なり、外側の反射器として各ＤＭＳトラック２Ａ，２Ｂ，３Ｂの外側に配置する。
【００５４】
図８Ｃは、トリプレクサとして構成した表面弾性波フィルタデバイスのＤＭＳトラックに基づく位相幾何学的配列における別の一実施形態を示す。図８Ａに示す実施形態と異なり、図示の実施形態においては、ＤＭＳトラック３Ａ，３Ｂ内の出力側変換器Ｔ２と反射器Ｒ３との間にシールド素子又はシールド帯Ｒ６を配置する。これらシールド素子Ｒ６は、付加的な反射器として各トラック内に配置し、出力側変換器Ｔ２の電極ＥＴ２２に接続することができる。これにより、シールド素子Ｒ６は、基準電位にするため、電極ＥＴ２２及びこの電極ＥＴ２２に接続した反射器Ｒ４を介してボンドパッドＧＮＤ２に接続される。シールド素子Ｒ６は、フィルタ１，２の引き込み反射器Ｒ３とフィルタ３の電極ＥＴ２２における変換器の指状部との間の狭い間隔の結果、フィルタ１，２とフィルタ３との間に電気的クロストークが生ずることを防止する。このような電気的クロストークは、阻止帯域特性を著しく損なうことにつながる。
【００５５】
図９は、ＤＭＳフィルタ１〜３を有するトリプレクサとして構成した表面弾性波フィルタデバイスにおいて、３１４ＭＨｚの周波数帯域における伝送機能Ｋ１，Ｋ２及びＫ３を示す。図面には、周波数Ｆに対する挿入減衰（損失）ＩＬの変化を示す。各フィルタは、異なる通過帯域を有する。
【００５６】
図１０Ａは、２イン１フィルタとして構成した表面弾性波フィルタデバイスにおけるＤＭＳトラックの位相幾何学的配列を示す。図示の実施形態における表面弾性波フィルタデバイスは、ＤＭＳトラック１Ａ及び１Ｂを有するフィルタ１を備え、これらＤＭＳトラック１Ａ，１Ｂはボンドパッド配列部５に対する一方の側Ｓ１に配置する。さらに、表面弾性波フィルタデバイスは、ＤＭＳトラック２Ａ，２Ｂを有するフィルタ２を備え、これらＤＭＳトラック２Ａ，２Ｂはボンドパッド配列部５に対する他方の側Ｓ２に配置する。入力側変換器Ｔ１は、外側の反射器Ｒ１と内側の反射器Ｒ２との間に配置し、出力側変換器Ｔ２は、外側の反射器Ｒ３と内側の反射器Ｒ４との間に配置する。
【００５７】
ダイプレクサ又はトリプレクサ構成とした実施形態と異なり、図示の２イン１フィルタにおいて、各フィルタ１，２は、これらフィルタ１，２に入力信号を加えるため、個別のボンドパッドＩＮ１，ＩＮ２に接続する。フィルタ１のＤＭＳトラック１Ａ，１Ｂにおいて、入力側変換器Ｔ１の電極ＥＴ１１は、フィルタ１に入力信号を加えるため、各トラック１Ａ，１Ｂの反射器Ｒ１に接続し、これら反射器Ｒ１を介してボンドパッドＩＮ１に接続する。電極ＥＴ１２は、基準電位にするため、反射器Ｒ２に接続し、これら反射器Ｒ２を介してボンドパッドＧＮＤ１に接続する。フィルタ１のＤＭＳトラック１Ａ，１Ｂにおける出力側変換器Ｔ２の電極ＥＴ２１は、フィルタ１から出力信号を出力するため、トラック１Ａ，１Ｂの各反射器Ｒ３に接続し、これら反射器Ｒ３を介してボンドパッドＯＵＴ１に接続する。ＤＭＳトラックＡ１，１Ｂにおける出力側変換器Ｔ２の電極ＥＴ２２は、基準電位にするため、内側の反射器Ｒ４に接続し、これら反射器Ｒ４を介してボンドパッドＧＮＤ２に接続する。
【００５８】
ＤＭＳトラック１Ａ，１Ｂ同様、フィルタ２のＤＭＳトラック２Ａ，２Ｂも、フィルタ２に入力信号を加えるためにボンドパッドＩＮ２に接続すると共に、フィルタ２から出力信号を出力するためにボンドパッドＯＵＴ２に接続する。ＤＭＳトラック２Ａ，２Ｂにおける入力側変換器Ｔ１の電極ＥＴ１１は、トラック２Ａ，２Ｂにおける外側の反射器Ｒ１を介してボンドパッドＩＮ２に接続する。入力変換器Ｔ１の電極ＥＴ１２は、内側の反射器Ｒ２を介してボンドパッドＧＮＤ１に接続する。出力側変換器の電極ＥＴ２１は、各ＤＭＳトラック２Ａ，２Ｂにおける反射器Ｒ３に接続し、これら反射器Ｒ３を介してボンドパッドＯＵＴ２に接続する。ＤＭＳトラック２Ａ，２Ｂにおける出力側変換器Ｔ２の電極ＥＴ２２は、基準電位にするため、各ＤＭＳトラック２Ａ，２Ｂにおける内側の反射器Ｒ４に接続し、これら反射器Ｒ４を介してボンドパッドＧＮＤ２に接続する。
【００５９】
反射器Ｒ２とＲ４との間には、図１０Ａ及び１０Ｂに示す実施形態のように、例えば反射器として構成するシールド素子Ｒ５を随意的に配置してもよく、これにより電気的クロストークを低減する。ＤＭＳトラック１Ａ，１Ｂの反射器Ｒ５及びＤＭＳトラック２Ａ，２Ｂの反射器Ｒ５は互いに接続し、また基準電位にするため、ボンドパッドＧＮＤ３に接続する。
【００６０】
図１０Ｂに示す、２イン１フィルタとして構成した表面弾性波フィルタデバイスにおける位相幾何学的配列の一実施形態においては、図１０Ａに示す実施形態と異なり、各ＤＭＳトラック内における入力側反射器Ｔ１の電極ＥＴ１１，ＥＴ１２は、逆にして、又はＤＭＳトラックの長手方向に反転して配置する。同様に、各ＤＭＳトラックにおける出力側変換器Ｔ２の電極ＥＴ２１，ＥＴ２２は、図１０Ａに示す実施形態と異なり、ＤＭＳトラックの長手方向に反転して配置する。
【００６１】
図１１は、３イン１フィルタとして構成した表面弾性波フィルタデバイスにおけるＤＭＳフィルタの位相幾何学的配列の一実施形態を示す。図示の実施形態における表面弾性波フィルタデバイスは、ＤＭＳトラック１Ａ，１Ｂを有するＤＭＳフィルタ１、ＤＭＳトラック２Ａ，２Ｂを有するＤＭＳフィルタ２、及びＤＭＳトラック３Ａ，３Ｂを有するＤＭＳフィルタ３を備える。全てのボンドパッドＩＮ１〜ＩＮ３，ＯＵＴ１〜ＯＵＴ３，ＧＮＤ１〜ＤＮＤ３は、ＤＭＳトラックの間におけるボンドパッド配列部５に配置する。すなわち、ＤＭＳトラック１Ａ，１Ｂ，３Ａはボンドパッド配列部５に対する一方の側Ｓ１に、またＤＭＳトラック２Ａ，２Ｂ，３Ｂはボンドパッド配列部５に対する他方の側Ｓ２にそれぞれ位置する。
【００６２】
ＤＭＳトラック１Ａ，１Ｂ又はＤＭＳトラック２Ａ，２Ｂにおける入力側変換器Ｔ１の電極ＥＴ１１は、フィルタ１，２に入力信号を加えるため、外側の反射器Ｒ１を介してボンドパッドＩＮ１に接続する。ＤＭＳフィルタ１，２の電極ＥＴ１２は、基準電位にするため、各トラック１Ａ，１Ｂ又は２Ａ，２Ｂにおける内側の反射器Ｒ２を介してボンドパッドＧＮＤ１に接続する。ＤＭＳトラック１Ａ，１Ｂ又は２Ａ，２Ｂにおける出力側変換器Ｔ２の電極ＥＴ２１は、フィルタ１，２から出力信号を出力するため、各トラックにおける外側の反射器Ｒ３に接続し、これら反射器Ｒ３を介してボンドパッド１又は２に接続する。ＤＭＳトラック１Ａ，１Ｂ又は２Ａ，２Ｂにおける出力側変換器Ｔ２の電極ＥＴ２２は、基準電位にするため、内側の反射器Ｒ４を介してボンドパッドＧＮＤ２に接続する。
【００６３】
ＤＭＳトラック３Ａ，３Ｂにおいて、入力側変換器Ｔ１の電極ＥＴ１１は、フィルタ３に入力信号を加えるため、ボンドパッドＩＮ３に直接接続する。ＤＭＳトラック３Ａ，３Ｂにおける入力側変換器Ｔ１の電極ＥＴ１２は、基準電位にするため、内側の反射器Ｒ２に接続し、これら反射器Ｒ２を介してボンドパッドＧＮＤ１に接続する。ＤＭＳトラック３Ａ，３Ｂにおける出力側変換器Ｔ２の電極ＥＴ２１は、フィルタ３から出力信号を出力するため、ボンドパッドＯＵＴ３に直接接続する。ＤＭＳトラック３Ａ，３Ｂにおける出力側変換器Ｔ２の電極ＥＴ２２は、基準電位にするため、内側の反射器Ｒ４に接続し、これら反射器Ｒ４を介してボンドパッドＧＮＤ２に接続する。
【００６４】
ＤＭＳトラック３Ａの反射器Ｒ１〜Ｒ４は、ＤＭＳトラック１Ａ，１Ｂに属する反射器Ｒ１〜Ｒ４に接続すると共に、ボンドパッド配列部において対応するボンドパッドにより、ＤＭＳトラック１Ａ，１Ｂにおける入出力側変換器の電極に接触するための引き込み反射器として機能する。同様に、ＤＭＳトラック３Ｂの反射器Ｒ１〜Ｒ４は、ＤＭＳトラック２Ａ，２Ｂに属する反射器Ｒ１〜Ｒ４に接続すると共に、ボンドパッド配列部において対応するボンドパッドにより、ＤＭＳトラック２Ａ，２Ｂにおける入出力側変換器の電極に接触するための引き込み反射器として機能する。
【００６５】
フィルタ１〜３におけるＤＭＳトラックの反射器Ｒ２とＲ４との間には、図１１の実施形態に示すように、反射器として構成することのできるシールド素子Ｒ５を随意的に配置してもよい。ＤＭＳトラックのシールド素子Ｒ５は、両側Ｓ１，Ｓ２において互いに上下に配置し、基準電位にするため、ボンドパッドＧＮＤ３に接続する。
【００６６】
図６Ａ〜図９に示すＤＭＳフィルタの位相幾何学的配列における実施形態において、ＤＭＳトラックは基板表面上に互いに上下に配置する。全てのボンドパッドは基板上に１つのボンドパッド配列部に配置し、接触のため、接続線を用いて表面弾性波フィルタデバイスにおける外部の入出力端子に接続することができる。個々のフィルタに入力信号を加えするためのボンドパッド、個々のフィルタから出力信号を出力するためのボンドパッド、及び基準電位、例えばグランド電位にするためのボンドパッドは、第１ＤＭＳトラックと第２ＤＭＳトラックとの間に配置することができる。すなわち、第１ＤＭＳトラックはボンドパッド配列部５に対する第１の側Ｓ１に、また第２ＤＭＳトラックはボンドパッド配列部５に対する第２の側Ｓ２に配置する。一方の側Ｓ１における各ＤＭＳトラックは、図６Ａ，図６Ｂ又は図１０Ａ，１０Ｂに示す実施形態のように、１個のフィルタを構成し、ボンドパッド配列部に対する他方の側Ｓ２における各ＤＭＳトラックは、別のフィルタを構成する。ＤＭＳトラックは、以下の配置とすることもできる。すなわち、図８Ａ〜図８Ｃ及び図１１に示す実施形態のように、フィルタ３を構成するＤＭＳトラック３Ａをボンドパッド配列部に対する一方の側Ｓ１に配置し、同一フィルタ３を構成する別のＤＭＳトラック３Ｂをボンドパッド配列部に対する他方の側Ｓ２に配置することができる。
【００６７】
互いに上下に配置した反射器Ｒ１〜Ｒ５は、両側Ｓ１，Ｓ２において互いに接続する。これにより、トリプレクサ又は３イン１フィルタとして構成した表面弾性波フィルタデバイスにおいて、ＤＭＳトラック１Ａ，１Ｂにおける入出力側変換器の電極は、各ＤＭＳトラック１Ａ，１Ｂの反射器Ｒ１〜Ｒ４、及びＤＭＳトラック３Ａに配置し、かつ引き込み反射器として機能する反射器を介してボンドパッド配列部において対応するボンドパッドに接続することが可能となる。同様に、ＤＭＳトラック２Ａ，２Ｂの入出力側変換器も、各ＤＭＳトラックの反射器Ｒ１〜Ｒ４、及びＤＭＳトラック３Ｂに配置した反射器Ｒ５を介してボンドパッド配列部における各１個のボンドパッドに接続する。すなわち、ボンドパッド配列部の各ボンドパッドに直接隣接していないＤＭＳトラックもボンドパッドに接続することができる。このように、トラック３Ａ，３Ｂの間におけるボンドパッド配列部、及び変換器に接触するために配置した内側及び外側の反射器により、個々のフィルタにおけるトラックを互いに平行に配置することが可能となる。さらに、個々のフィルタをその出力側において電気的に接触することが可能となるだけでなく、２イン１フィルタ又は３イン１フィルタに関しては、その入力側においても個別的な電気的接触が可能となる。
【００６８】
表面弾性波フィルタデバイスにおける部分的な各ＤＭＳフィルタは、異なる帯域幅を有することができる。なぜなら、表面弾性波フィルタデバイスの用途に応じて、ＤＭＳフィルタにおける帯域幅は個々の周波数チャネルにおける伝送帯域幅に対応する必要があるからである。個々のフィルタは、シングルＤＭＳ設計技術又はツインＤＭＳ設計技術で構成することができる。シングルＤＭＳ設計技術によるフィルタは、実施形態に示す１フィルタ２トラック構造とする代わりに、１フィルタ１トラック構造としてもよい。さらに、個々のフィルタを異なる設計技術で構成することができる。これにより、例えば１個のフィルタをツインＤＭＳ設計技術で、また別の１個をシングルＤＭＳ設計技術で構成し、表面弾性波フィルタデバイスの用途に合わせて最適な構成を実現することが可能となる。また、いくつかのフィルタは２つのトラックを有し、別のフィルタは１つのトラックだけを有する組み合わせとすることも可能である。
【００６９】
本明細書において示したＤＭＳトラックの位相幾何学的配列により、ＤＭＳフィルタを有するダイプレクサ、トリプレクサ、２イン１フィルタ又は３イン１フィルタとしての表面弾性波フィルタデバイスを構成することが可能となる。また、ボンドパッドをＤＭＳトラックの間で１つのボンドパッド配列部に配置することにより、表面弾性波フィルタデバイスを大幅に省スペース化して構成することが可能となる。
【符号の説明】
【００７０】
１〜３          ＤＭＳフィルタ
１Ａ〜３Ｂ      ＤＭＳトラック
４              基板
５              ボンドパッド配列部
１０            ダイプレクサ
２０            トリプレクサ
３０            ２イン１フィルタ
４０            ３イン１フィルタ
１００          表面弾性波フィルタデバイス
２００          アンテナ
３００          受信／送信ユニット
４００，５００  スイッチ
Ｔ１            入力側変換器
Ｔ２            出力側変換器
Ｒ              反射器
ＥＴ            電極
【図１Ａ】
0003177250.tif 000003
【図１Ｂ】
0003177250.tif 000004
【図２Ａ】
0003177250.tif 000005
【図２Ｂ】
0003177250.tif 000006
【図３Ａ】
0003177250.tif 000007
【図３Ｂ】
0003177250.tif 000008
【図４Ａ】
0003177250.tif 000009
【図４Ｂ】
0003177250.tif 000010
【図５Ａ】
0003177250.tif 000011
【図５Ｂ】
0003177250.tif 000012
【図６Ａ】
0003177250.tif 000013
【図６Ｂ】
0003177250.tif 000014
【図７】
0003177250.tif 000015
【図８Ａ】
0003177250.tif 000016
【図８Ｂ】
0003177250.tif 000017
【図８Ｃ】
0003177250.tif 000018
【図９】
0003177250.tif 000019
【図１０Ａ】
0003177250.tif 000020
【図１０Ｂ】
0003177250.tif 000021
【図１１】
0003177250.tif 000022